(57)【要約】【課題】  机等の台上への載置を可能としつつ、透光性の被撮像物の撮像に対応可能な光源を単一の照明機器にて確保する。【解決手段】  スライドフィルムの撮像の際には、テーブル１１０の側への照明ユニット保持アーム１５０の回動操作を経て、照明ユニット１３０をテーブル１１０上面に重ねてサブ照明姿勢とする。こうした上で、フィルムステージ２００をカメラヘッド１２０と対向するようテーブル１１０に載置し、ステージ２０２の前端がサブ照明姿勢を取った照明ユニット１３０の筐体上端にステージ２０２の前端が重なるよう係合させる。この状態で照明ユニット１３０が光を照射すると、その照射光は、フィルムステージ２００のステージ２０２下方領域に入り込み、開口２１０を通過してカメラヘッド１２０に達する。【選択図】  図６
2006148824.tif 000002
【特許請求の範囲】
【請求項１】
テーブルに載置された被撮像物を撮像するカメラヘッドと、前記テーブル上の前記被撮像物を照明する照明ユニットとを有する撮像装置であって、
前記照明ユニットが前記被撮像物をテーブル上方側から照明するメイン姿勢と、前記照明ユニットが前記テーブルの上面に近づくサブ姿勢とを取り得るよう、前記照明ユニットを前記テーブルに対して保持する照明ユニット保持アームと、
前記カメラヘッドと対向するよう前記テーブルに載置され、テーブル上方に被撮像物の載置可能なステージを形成すると共に、該ステージに光の透過が可能な透光部を有するステージ形成部材とを備え、
前記照明ユニットは、
前記サブ姿勢において、前記ステージ形成部材の内部に光を照射する
撮像装置。
【請求項２】
請求項１記載の撮像装置であって、
前記ステージ形成部材は、その内壁で、内部に入り込んだ光を散乱させ、
前記照明ユニットは、前記透光部から前記カメラヘッド側に向けた光の照射が可能となる照射窓を備える
撮像装置。
【請求項３】
請求項１または請求項２記載の撮像装置であって、
前記ステージ形成部材は、
前記サブ姿勢を取る前記照明ユニットに係合し、前記透光部の下方領域を前記照明ユニットと共に囲み込む
撮像装置。
【請求項４】
請求項１ないし請求項３いずれか記載の撮像装置であって、
前記ステージ形成部材は、
前記ステージにスライドフィルムの載置が可能な凹所を有し、
該凹所に、前記スライドフィルムの少なくともフィルム領域を露出させる開口を前記透光部として備える
撮像装置。
【請求項５】
請求項４記載の撮像装置であって、
前記開口の両側に位置するよう前記凹所に連続して形成され、前記凹所よりも深い陥没部を有する
撮像装置。
【請求項６】
テーブルに載置された被撮像物を撮像するカメラヘッドと前記テーブル上の前記被撮像物を照明する照明ユニットを有する撮像装置に用いられるスライドフィルム撮像ステージであって、
前記カメラヘッドと対向するよう前記テーブルに載置され、テーブル上方に被撮像物の載置可能なステージを形成する本体と、
前記ステージに形成され、スライドフィルムの載置が可能な凹所と、
該凹所に形成され、前記スライドフィルムの少なくともフィルム領域を露出させる凹所開口と、
前記本体の側面に形成され、前記本体内部に光を導くための側方開口とを備え、
前記本体は、
前記テーブルの上面に近づいて光を照射する前記照明ユニットに係合して、前記凹所開口の下方領域を前記照明ユニットと共に囲み込み、前記照明ユニットの照射光を前記側方開口から前記本体内部に入り込ませる
スライドフィルム撮像ステージ。
【請求項７】
請求項６記載のスライドフィルム撮像ステージであって、
前記凹所開口の両側に位置するよう前記凹所に連続して形成され、前記凹所よりも深い陥没部を有する
スライドフィルム撮像ステージ。
【発明の詳細な説明】
【技術分野】
【０００１】
本発明は、テーブルに載置された被撮像物を撮像する撮像装置に関する。
【背景技術】
【０００２】
この種の撮像装置では、テーブルに載置された被撮像物をカメラヘッドで撮像するに当たり、光量不足を補うため、テーブル上の被撮像物を照明する照明ユニットを用いる。これらカメラヘッドや照明ユニットを、テーブルに対してそれぞれのアームで保持したり、照明ユニットをカメラヘッドの保持アームに保持することも行われている。こうしたアームによる保持の様子は、例えば次の特許文献１に見られる。
【０００３】
【特許文献１】特開２００４−２７４５０３号公報
【０００４】
ところで、こうした撮像装置では、テーブル上面に載置した被撮像物のみならず、例えば、スライドフィルム等の透光性の被撮像物の撮像も求められる。上記の特許文献で示された撮像装置では、照明ユニットをテーブルの下面側に配置して、テーブル下面側からカメラヘッド側に向けて照明を行うことができるので、透光性の被撮像物の撮像にも対応できる。
【発明の開示】
【発明が解決しようとする課題】
【０００５】
しかしながら、上記の文献で提案された撮像装置では、照明ユニットをテーブル下面側に回動させる都合上、テーブルを高くする必要があり、机等の台の載置には適さない。台上への載置を図りつつ、スライドフィルム等の透光性の被撮像物の撮像を図るには、こうした被撮像物をテーブル側から照明するバックライトとして機能するテーブル内蔵の照明機器が、テーブル上面を照明する照明機器とは別に必要となる。よって、照明機器が増える分、構成が複雑となるばかりか、照明の切り換え等も必要となり煩雑であった。
【０００６】
本発明は、上記問題点を解決するためになされ、机等の台上への載置を可能としつつ、透光性の被撮像物の撮像に対応可能な光源を単一の照明機器にて確保できる撮像装置を提供することをその目的とする。
【課題を解決するための手段】
【０００７】
かかる課題の少なくとも一部を解決するため、本発明の撮像装置では、テーブルに載置された被撮像物を撮像するカメラヘッドと、テーブル上の被撮像物を照明する照明ユニットとを備え、この照明ユニットを照明ユニット保持アームにてテーブルに対して保持する。そして、この照明ユニット保持アームにより、照明ユニットは、被撮像物をテーブル上方側から照明するメイン姿勢と、照明ユニットがテーブル上面に近づくサブ姿勢とを取ることができ、この両姿勢において、光を照射する。
【０００８】
照明ユニットをテーブル上面に近づくサブ姿勢とした上で、ステージ形成部材をカメラヘッドと対向するようテーブルに載置し、サブ姿勢の照明ユニットにてステージ形成部材の内部に光を照射する。ステージ形成部材は、テーブル上方に被撮像物の載置可能なステージを形成し、このステージに光の透過が可能な透光部を有するので、サブ姿勢の照明ユニットからステージ形成部材内部に照射された光を、透光部をその下方から照らすバックライトに用いることができる。このため、ステージ形成部材の透光部に透光性の被撮像物を載置することで、この透光性被撮像物をその下方から照らし、カメラヘッドで撮像することができる。この結果、本発明の撮像装置によれば、単一の照明ユニットだけで、テーブル上方側からの被撮像物照明と透光性の被撮像物のバックライト照明を両立できる。しかも、照明ユニットを保持する照明ユニット保持アームについては、照明ユニットをテーブルの上方にて上記のメイン姿勢とサブ姿勢に保持すれば足り、照明ユニットをテーブル下方側まで回動させる必要がない。よって、本発明の撮像装置は、机等の台上への載置が可能となる。
【０００９】
以上説明した本発明の撮像装置では、種々の態様を採ることができる。例えば、ステージ形成部材の内壁を光の散乱が可能なものとし、照明ユニットについては、その照射窓からの光（照射光）を透光部からカメラヘッド側に向かうようにすることができる。こうすれば、ステージ形成部材の透光部の下方領域における光量を確保しつつ、ステージの透光部に載置された被撮像物をその下方から照明してカメラヘッドに達する光量をも確保できる。よって、透光性の被撮像物の撮像画像を十分な光量で得ることができる。
【００１０】
また、ステージ形成部材をサブ姿勢の照明ユニットに係合させて透光部の下方領域を照明ユニットと共に囲み込むようにすれば、照明ユニットの照射光を透光性の被撮像物の撮像により有効に用いることができる。
【００１１】
本発明は、撮像装置にてスライドフィルムを撮像する際のスライドフィルム撮像ステージとしても適用できる。つまり、このスライドフィルム撮像ステージは、
前記カメラヘッドと対向するよう前記テーブルに載置され、テーブル上方に被撮像物の載置可能なステージを形成する本体と、
前記ステージに形成され、スライドフィルムの載置が可能な凹所と、
該凹所に形成され、前記スライドフィルムの少なくともフィルム領域を露出させる凹所開口と、
前記本体の側面に形成され、前記本体内部に光を導くための側方開口とを備え、
前記本体は、
前記テーブルの上面に近づいて光を照射する前記照明ユニットに係合して、前記凹所開口の下方領域を前記照明ユニットと共に囲み込み、前記照明ユニットの照射光を前記側方開口から前記本体内部に入り込ませる。
【００１２】
こうした構成を有するスライドフィルム撮像ステージを撮像装置のテーブルにカメラヘッドと対向するよう載置すれば、スライドフィルム撮像が即座に可能となる。
【００１３】
このステージの凹所における開口の両側に、この凹所よりも深い陥没部を凹所に連続して形成することもできる。こうすれば、この陥没部に指先を入れることで凹所にセット済みのスライドフィルムを指先で摘むことができるので、スライドフィルム着脱が簡便となる。
【発明を実施するための最良の形態】
【００１４】
以下、本発明の実施の形態について、その実施例を図面に基づき説明する。図１は実施例の撮像装置１００の斜視図、図２はこの撮像装置１００の右側面図、図３は撮像装置１００の背面斜視図である。
【００１５】
図示するように、撮像装置１００は、被撮像物が載置されるテーブル１１０と、このテーブル１１０上の図示しない被撮像物を撮像するカメラヘッド１２０と、テーブル１１０上の被撮像物を照明する照明ユニット１３０とを備える。テーブル１１０は、前方側が丸みを帯びた方形の平板状をなし、前方側上面に、スイッチ群１１２を備え、右後方側壁には、メモリカード装着機構１１３とＵＳＢ（ Universal Serial Bus ）端子１１４と有する。このスイッチ群１１２は、ズーム、オートフォーカス、アイリス、ホワイトバランス等の設定のためのスイッチの他、本装置の機能設定・メモリ書き込み等ためのスイッチを含むが、本発明の要旨と直接関係しないので、その説明は省略する。
【００１６】
また、テーブル１１０は、図３に示すように、テーブル周囲側壁のうち、その後端側に、テーブル上面を切り欠く凹所１１５を備え、この凹所１１５をカバー１１７で覆う。カバー１１７は、フラップ状に開閉され、図３に示す閉鎖状態では、テーブル１１０のテーブル上面と実質的に面一となり、カバー部分の表面を、テーブル上面に連続した面とする。カバー１１７で覆われた凹所１１５は、外部装置と接続するためのコネクタ端子の配設箇所とされている。
【００１７】
カメラヘッド１２０は、テーブル１１０に対してカメラ保持アーム１４０で保持される。このカメラ保持アーム１４０は、テーブル側アーム１４２とカメラ側アーム１４４を備え、テーブル側アーム１４２の基部１４３でテーブル１１０に回動自在に保持される。カメラ側アーム１４４は、カメラヘッド１２０と連結固定され、テーブル側アーム１４２との連結部でそれぞれ回動自在とされている。よって、カメラヘッド１２０は、カメラ側アーム１４４と一体となってテーブル側アーム１４２の先端で回動可能である。
【００１８】
照明ユニット１３０は、テーブル１１０に対して照明ユニット保持アーム１５０で保持される。この照明ユニット保持アーム１５０は、その基部１５２でテーブル１１０に回動自在に保持され、その先端側では、照明ユニット１３０を回動自在に保持する。
【００１９】
カメラ保持アーム１４０と照明ユニット保持アーム１５０は、テーブル１１０の左奥コーナーの隆起部１１８において回動自在に同軸に軸支され、テーブル１１０に対する傾斜の程度が変わるよう、テーブル１１０に対して同軸に回動する。撮像装置１００は、このように回動自在に軸支されたアームを有することから、アームの回動に伴い、種々の形態を取り得る。図４は照明ユニット保持アーム１５０をテーブル側まで回動させてスライドフィルム撮像に備えた状態の撮像装置１００を示す斜視図、図５はスライドフィルム撮像に備えた状態の撮像装置１００を後方から見た斜視図、図６はフィルムステージ２００を併用してスライドフィルム撮像する際の撮像装置１００を示す斜視図、図７はフィルムステージ２００を併用してスライドフィルム撮像する際の撮像装置１００を示す右側面図である。
【００２０】
上記した両アームの軸支の様子や照明ユニット１３０の軸支の様子から、図２に示すように、カメラ保持アーム１４０は、図中の矢印Ｘｋａに示すように、テーブル１１０に対して傾斜程度が変わるよう回動し、この図２や図１、図３に示す状態から、カメラヘッド１２０をテーブル１１０の上面に近づける状態まで回動可能である。カメラヘッド１２０は、テーブル１１０に載置された被撮像物の撮像時において、図１ないし図３に示す姿勢（撮像姿勢）を取り、上記の被撮像物をテーブル上方側から撮像する。なお、カメラヘッド１２０がこの撮像姿勢を取るとき、カメラ保持アーム１４０は、その回動が規制され、テーブル１１０に対して最も大きな傾斜（最大傾斜）となってその姿勢を保持する。
【００２１】
照明ユニット保持アーム１５０は、図中の矢印Ｘｓａに示すように、テーブル１１０に対して傾斜程度が変わるよう回動し、この図２に示す状態から、図４〜図７に示すように、照明ユニット１３０がテーブル１１０の上面に重なる状態まで回動可能である。また、照明ユニット保持アーム１５０は、照明ユニット１３０が図２に示す位置より後方の位置となるまで回動可能である。照明ユニット１３０は、照明ユニット保持アーム１５０との連結部において図中の矢印Ｘｓｈに示すように回動する。
【００２２】
テーブル１１０に載置された被撮像物の撮像時には、照明ユニット保持アーム１５０はカメラ保持アーム１４０より後方側に位置し、照明ユニット１３０は、通常、カメラヘッド１２０より後方に位置する姿勢（メイン照明姿勢：図１〜図３参照）を取り、テーブル１１０に載置された被撮像物をテーブル上方側から斜めに照明する。
【００２３】
その一方、フィルムステージ２００を併用してスライドフィルム撮像する際にあっては、照明ユニット保持アーム１５０は、既述したようにテーブル１１０の側に回動され、照明ユニット１３０は、テーブル１１０の上面に筐体底面を重ねた姿勢（サブ照明姿勢：図４〜図７参照）を取る。そして、照明ユニット１３０は、このサブ照明姿勢で、傾斜配置された窓１３２から光をテーブル１１０の上面において照射する。
【００２４】
こうした照明姿勢を取る撮像装置１００とスライドフィルム撮像のために併用されるフィルムステージ２００について説明する。図８はフィルムステージ２００の斜視図、図９はフィルムステージ２００の平面図、図１０は図９の１０−１０線断面図、図１１はフィルムステージ２００の正面図、図１２はフィルムステージ２００の右側面図、図１３はフィルムステージ２００の底面図である。
【００２５】
これら図面に示すように、フィルムステージ２００は、その上面に平板上のステージ２０２を備え、このステージ２０２を左右の脚２０４で支える。左右の脚２０４は、ステージ２０２の一方端側（後端側）に位置し、図１３に示すように、脚下面には、ゴム等のシートからなるクッション２０５を有する。このクッション２０５は、図面においては脚２０４の下面とほぼ面一とされているが、実際は脚下端から僅かに突出しており、フィルムステージ２００を撮像装置１００のテーブル１１０に載置したときの滑り止めとして機能する。
【００２６】
フィルムステージ２００は、樹脂の一体成型品であり、その色を例えば乳白色等とすることで、脚２０４、後端平板２０６および側方平板２０７それぞれの内壁面で、光を散乱させる。
【００２７】
フィルムステージ２００は、左右の脚２０４の間をステージ後端側で後端平板２０６で繋ぎ、ステージ左右端部においては、脚下端の前方からステージ２０２にかけて側方平板２０７を有する。よって、フィルムステージ２００は、ステージ２０２の前端側を除いてステージ周囲を側方平板２０７、脚２０４および後端平板２０６で取り囲み、ステージ２０２の前端側を開口させている。
【００２８】
側方平板２０７は、その縁部を傾斜させており、この傾斜程度は、照明ユニット１３０が有する窓１３２の設置個所の傾斜に合わせてある。つまり、図６や図７に示すようにフィルムステージ２００をテーブル１１０に載置して、ステージ２０２前端を照明ユニット１３０の筐体上端に重ねて係合させると、フィルムステージ２００は、側方平板２０７の傾斜縁部を窓１３２の周囲の傾斜板に対向させる。そして、フィルムステージ２００を照明ユニット１３０に近づけると、ステージ２０２前端と照明ユニット１３０の筐体上端の重なり部分が増え、側方平板２０７の傾斜縁部は窓１３２の周囲の傾斜板に近づくことになる。このため、フィルムステージ２００は、照明ユニット１３０と上記のように係合することで、側方平板２０７、脚２０４および後端平板２０６にて、窓１３２の回りを取り囲むことになる。
【００２９】
フィルムステージ２００は、ステージ２０２に、開口２１０を脚間に位置するようにして備え、当該開口を取り囲む領域を周囲凹所２１２とする。また、フィルムステージ２００は、開口２１０の上下を、周囲凹所２１２よりも深く陥没し周囲凹所２１２に連続する陥没部２１４とする。周囲凹所２１２は、ほぼ正方形で陥没し、その大きさは、図示しないスライドフィルムの枠外形より大きくされている。開口２１０は、このスライドフィルムの枠内のフィルム領域とほぼ同じ大きさとされている。よって、開口２１０は、周囲凹所２１２に入り込んだスライドフィルムのフィルム領域を露出させ、ステージ２０２の下方からフィルムを通過する光の経路を形成する。陥没部２１４は、周囲凹所２１２より深く陥没していることから、周囲凹所２１２へのスライドフィルム着脱に際して、陥没部２１４に親指・人差し指を入れれば、周囲凹所２１２のスライドフィルムを容易に摘むことができるので、スライドフィルム着脱が簡便である。なお、陥没部２１４は、図における開口２１０の左右に位置してもよい。
【００３０】
次に、上記したフィルムステージ２００を併用して行うスライドフィルム撮像について説明する。まず、撮像装置１００の側において、既述したように、テーブル１１０の側への照明ユニット保持アーム１５０の回動操作を経て、図４や図５に示すように、照明ユニット１３０をテーブル１１０上面に重ねてサブ照明姿勢とする。次に、フィルムステージ２００をカメラヘッド１２０と対向するようテーブル１１０に載置し、ステージ２０２の前端がサブ照明姿勢を取った照明ユニット１３０の筐体上端にステージ２０２の前端が重なるよう係合させる。こうすると、図６や図７に示すように、フィルムステージ２００は、側方平板２０７の傾斜縁部を窓１３２の周囲の傾斜板に対向させて、側方平板２０７、脚２０４および後端平板２０６にて、窓１３２の回りを取り囲む。
【００３１】
この状態で照明ユニット１３０が光を照射すると、その照射光は、窓１３２からフィルムステージ２００のステージ２０２下方領域に入り込み、開口２１０を通過してカメラヘッド１２０に達する。このため、本実施例の撮像装置１００では、照明ユニット１３０の照射光を、ステージ２０２（詳しくは、周囲凹所２１２）にセットされたスライドフィルムのバックライトとできるので、当該スライドフィルムをその下方から照らしてカメラヘッド１２０で撮像することができる。つまり、こうしたスライドフィルム撮像に際して、本実施例では、単一の照明ユニット１３０だけで光源を得ることができる。
【００３２】
この結果、本実施例の撮像装置１００によれば、照明ユニット１３０の姿勢変更により、テーブル上方側からの被撮像物照明とスライドフィルムのバックライト照明を両立できる。しかも、照明ユニット１３０を保持する照明ユニット保持アーム１５０については、照明ユニット１３０をテーブル１１０の上方側において、上記のメイン照明姿勢とサブ照明姿勢に保持すれば足り、照明ユニット１３０をテーブル下方側まで回動させる必要がない。よって、本実施例によれば、撮像装置１００を机等の台上への載置可能な形態、具体的には台上設置に適した平板状のテーブル形状と、このテーブルへのアームの回動保持とすることができる。
【００３３】
フィルムステージ２００をテーブル１１０に載置する際、上記したように照明ユニット１３０と係合させれば、フィルムステージ２００にセット済みのスライドフィルムをカメラヘッド１２０の撮像範囲にほぼ置くことができる。本実施例では、フィルムステージ２００を、照明ユニット１３０の筐体上端との重なりに余裕があるので、図６においてフィルムステージ２００をテーブル前後方向に移動できる。しかも、このフィルムステージ２００を、照明ユニット１３０と重ねたままテーブル左右方向にも移動できる。よって、スライドフィルムを撮像しつつ、その画像を外部のモニタ等で見ながら、カメラヘッド１２０に対するスライドフィルム位置、即ち、カメラヘッド１２０に対するフィルムステージ２００の位置を調整できる。
【００３４】
また、本実施例では、フィルムステージ２００を樹脂成型品としつつ脚２０４、後端平板２０６および側方平板２０７の側壁（内壁）を光の散乱が可能なものとした。更には、照明ユニット１３０の窓１３２を傾斜面に設置したので、この窓１３２からの照射光が開口２１０（詳しくは、開口２１０におけるスライドフィルムのフィルム領域）を通過してカメラヘッド１２０に達するようにもした。よって、フィルムステージ２００のステージ２０２下方領域における光量を確保しつつ、開口２１０にセット済みのスライドフィルムをその下方から照明してカメラヘッド１２０に達する光量をも確保できる。このため、スライドフィルムの撮像画像を十分な光量で得ることができる。
【００３５】
また、フィルムステージ２００は、照明ユニット１３０の筐体上端にステージ２０２前端を重ねて当該照明ユニットに係合し、開口２１０の下方領域を照明ユニット１３０と共に囲み込む。よって、照明ユニット１３０の窓１３２からフィルムステージ２００の内部に照射された光を、開口２１０におけるスライドフィルム撮像により有効に用いることができる。
【００３６】
次に、変形例について説明する。上記した実施例では、フィルムステージ２００をスライドフィルム撮像に適した構成としたが、スライドフィルム以外の透光性の被撮像物、例えば透明シート等の撮像であれば、次のように変形すればよい。図１４は変形例のフィルムステージ２００Ａの斜視図である。
【００３７】
この変形例のフィルムステージ２００Ａは、ステージ２０２に開口２１０や周囲凹所２１２等を備えず、ステージ２０２を平板状とする。その一方、このフィルムステージ２００Ａは、透明の樹脂にて形成され、ステージ２０２についても透明とする。他の脚２０４、後端平板２０６および側方平板２０７については、その内壁面に、散乱シートを有する。この変形例のフィルムステージ２００Ａによれば、スライドフィルムに限らず、透明シート等の他の透光性の被撮像物撮像についても、単一の照明ユニット１３０の照射光を用いて、その撮像を行うことができる。
【００３８】
本発明は上記した実施例や実施形態に限られるものではなく、その要旨を逸脱しない範囲において、種々の態様で実施可能である。例えば、テーブル１１０の側壁部にフィルムステージ２００が着脱できるような凹所を設け、このフィルムステージ２００でテーブル１１０のテーブルの一部を形成するようにもできる。こうすれば、テーブル１１０に載置された被撮像物の撮像の際には、凹所に装着したフィルムステージ２００をテーブル１１０の一部として撮像できるほか、スライドフィルムの撮像時には、凹所から取り外したフィルムステージ２００をテーブル１１０に載置すればよい。こうすれば、フィルムステージ２００の保管・管理が簡便となる。
【００３９】
また、照明ユニット１３０を保持する照明ユニット保持アーム１５０については、照明ユニット１３０を回動自在に保持するものとしたが、次のように構成することもできる。例えば、照明ユニット保持アーム１５０を、照明ユニット１３０の高さを調整できるよう伸縮するよう構成し、アーム伸張時には、照明ユニット１３０をテーブル上方からのメイン照明姿勢とし、アーム収縮時には、照明ユニット１３０をテーブル上面に近づけたサブ照明姿勢とすることもできる。
【００４０】
また、フィルムステージ２００については、次のようにすることもできる。図８に示す周囲凹所２１２を、図における左右方向に延びてステージ２０２の縁部まで達するような細長の凹所とする。こうすれば、この細長の凹所にネガフィルムスリップを載置できるので、ネガフィルムスリップの各駒のネガ画像をカメラヘッド１２０で撮像し、ネガポジ反転によりポジ画像を得ることができる。
【図面の簡単な説明】
【００４１】
【図１】実施例の撮像装置１００の斜視図である。
【図２】この撮像装置１００の右側面図である。
【図３】撮像装置１００の背面斜視図である。
【図４】照明ユニット保持アーム１５０をテーブル側まで回動させてスライドフィルム撮像に備えた状態の撮像装置１００を示す斜視図である。
【図５】スライドフィルム撮像に備えた状態の撮像装置１００を後方から見た斜視図である。
【図６】フィルムステージ２００を併用してスライドフィルム撮像する際の撮像装置１００を示す斜視図である。
【図７】フィルムステージ２００を併用してスライドフィルム撮像する際の撮像装置１００を示す右側面図である。
【図８】フィルムステージ２００の斜視図である。
【図９】フィルムステージ２００の平面図である。
【図１０】図９の１０−１０線断面図である。
【図１１】フィルムステージ２００の正面図である。
【図１２】フィルムステージ２００の右側面図である。
【図１３】フィルムステージ２００の底面図である。
【図１４】変形例のフィルムステージ２００Ａの斜視図である。
【符号の説明】
【００４２】
１００...撮像装置
１１０...テーブル
１１２...スイッチ群
１１３...メモリカード装着機構
１１５...凹所
１１７...カバー
１１８...隆起部
１２０...カメラヘッド
１３０...照明ユニット
１３２...窓
１４０...カメラ保持アーム
１４２...テーブル側アーム
１４３...基部
１４４...カメラ側アーム
１５０...照明ユニット保持アーム
１５２...基部
２００...フィルムステージ
２００Ａ...フィルムステージ
２０２...ステージ
２０４...脚
２０５...クッション
２０６...後端平板
２０７...側方平板
２１０...開口
２１２...周囲凹所
２１４...陥没部
【図１】
2006148824.tif 000003
【図２】
2006148824.tif 000004
【図３】
2006148824.tif 000005
【図４】
2006148824.tif 000006
【図５】
2006148824.tif 000007
【図６】
2006148824.tif 000008
【図７】
2006148824.tif 000009
【図８】
2006148824.tif 000010
【図９】
2006148824.tif 000011
【図１０】
2006148824.tif 000012
【図１１】
2006148824.tif 000013
【図１２】
2006148824.tif 000014
【図１３】
2006148824.tif 000015
【図１４】
2006148824.tif 000016